(57)【要約】【課題】各種配管に対する鞘管の構造物への適切な設置を図る。【解決手段】充填材７が設置孔６の鞘管支持体４を受ける側を構成する下辺部に敷設され、複数の鞘管３の鞘管支持体４よりも外側に出た一端部が設置箇所５の屋外側または住戸側などの一方から設置孔６に挿入され、鞘管支持体４が設置孔６に配置され、鞘管支持体４の下辺部が設置孔６の下辺部における充填材７の上に置かれ、上記の充填材７と同じ材料からなる充填材８が鞘管支持体４と設置孔６との間の隙間に充填されて固化することよって、鞘管支持体４が設置箇所５に固定され、鞘管３を設置する周囲の熱貫流率を下げることなく、止水性能も確保することの工事が容易になる。断熱材９が設置箇所５の住戸側から設置孔６の内部に設けられれば、設置箇所５と鞘管支持体４との熱貫流率を調整でき、目地１０に防水処理材１１が充填されれば、設置箇所５の屋外側の止水性能も上がる。【選択図】図１
2008274630.tif 000002
【特許請求の範囲】
【請求項１】
鞘管構造体が複数の鞘管を鞘管支持体で支持した構造であり、設置箇所には設置孔が鞘管支持体を挿入し得る大きさでかつ設置箇所の屋外側および住戸側への貫通孔として形成され、鞘管構造体における複数の鞘管の一端部が設置箇所の屋外側または住戸側などの一方から設置孔に挿入されて鞘管支持体が設置孔に配置され、充填材が設置孔と鞘管支持体との間の隙間に充填されて固化することによって鞘管支持体が設置箇所に固定されたことを特徴とする構造物の配管装置。
【請求項２】
鞘管支持体が設置孔に配置された場合に、鞘管支持体の住戸側面が設置箇所の住戸側面よりも設置孔の内部に配置され、当該設置箇所の住戸側から設置孔の内部に断熱材が設けられたことを特徴とする請求項１記載の構造物の配管装置。
【請求項３】
充填材の屋外側面には目地が設置孔の内部に窪むように設けられ、目地には防水処理材が施されたことを特徴とする請求項１記載の構造物の配管装置。
【発明の詳細な説明】
【技術分野】
【０００１】
本発明は、各種配管に対する鞘管が構造物に適切に設けられる構造物の配管装置に関する。
【背景技術】
【０００２】
住宅などの構造物では、特許文献１または特許文献２で開示された配管装置が知られている。この配管装置は、構造物の壁などの設置箇所に合成樹脂などからなる鞘管を設け、屋外側に設けられた図外のメータボックスなどの屋外機器と住戸側に設けられた図外の住戸機器とを接続する各種配管や各種電線などが鞘管に通されるようになっている。図３は、特許文献１で開示された構造物の配管装置１を示す。図３のａ図において、配管装置１の設置箇所５には、複数の鞘管孔１３が、設置箇所５の屋外側と住戸側とに貫通するように形成される。そして、図３のｂ図に示すように、複数の鞘管３が設置箇所５の屋外側と住戸側とに個別に貫通するように、複数の鞘管３の中間部が複数の鞘管孔１３に個別に入れられ、モルタルなどの充填材１５が複数の鞘管３の中間部と複数の鞘管孔１３との間の隙間に充填されて固化することによって、複数の鞘管３が設置箇所５に屋外側と住戸側とに貫通するように固定される。しかしながら、設置箇所５の壁厚が厚いためと、充填材１５が鞘管３の設置後に屋外側または住戸側からしか充填できないため、鞘管３が密集する部分では、充填材１５が鞘管３と鞘管孔１３との間の隙間に適切に充填されないことがある。このために、鞘管３と鞘管孔１３との間の隙間に対する止水処理を現場で行う必要があるという欠点がある。図４は、特許文献２で開示された構造物の配管装置１を示す。図４では、図３の充填材１５の充填に代えて、金属または合成樹脂からなるカバー１６が用いられる。鞘管３が屋外側からカバー１６の貫通孔１７に挿入され、カバー１６が鞘管孔１３の周囲を覆い隠すように設置箇所５の屋外側に固定される。しかしながら、鞘管３と貫通孔１７との間の隙間や設置箇所５とカバー１６との間の隙間に対する止水処理を現場で行う必要があるうえ、設置箇所５では設置箇所５以外の壁などの構造物の部分と熱貫流率が異なるため、断熱性能を上げる処理を別途行う必要が出てくるという欠点がある。熱貫流率は、熱が構造物を通過する際における熱の伝わりやすさを表す指標である。
【特許文献１】特開２００３−３２８４０３公報
【特許文献２】特開２０００−１７０２２２公報
【発明の開示】
【発明が解決しようとする課題】
【０００３】
発明が解決しようとする問題点は、鞘管を設置する周囲の熱貫流率を下げることなく、止水性能も確保することの工事が難しいという点である。
【課題を解決するための手段】
【０００４】
本発明に係る構造物の配管装置は、鞘管構造体が複数の鞘管を鞘管支持体で支持した構造であり、設置箇所には設置孔が鞘管支持体を挿入し得る大きさでかつ設置箇所の屋外側および住戸側への貫通孔として形成され、鞘管構造体における複数の鞘管の一端部が設置箇所の屋外側または住戸側などの一方から設置孔に挿入されて鞘管支持体が設置孔に配置され、充填材が設置孔と鞘管支持体との間の隙間に充填されて固化することによって鞘管支持体が設置箇所に固定されたことを最も主要な特徴とする。鞘管支持体が設置孔に配置された場合に、鞘管支持体の住戸側面が設置箇所の住戸側面よりも設置孔の内部に配置され、当該設置箇所の住戸側から設置孔の内部に断熱材が設けられたり、または、充填材の屋外側面には目地が設置孔の内部に窪むように設けられ、目地には防水処理材が施されたりしてもよい。
【発明の効果】
【０００５】
本発明に係る構造物の配管装置は、鞘管構造体が複数の鞘管を鞘管支持体で支持した構造であるので、鞘管がその延長方向に波状になった蛇腹構造であっても、鞘管支持体を構成する材料が鞘管構造体を作るための型枠に流し込まれることによって複数の鞘管における型枠の内部に配置された部分の外周面を全体的に接触しかつ被覆した態様で固化するので、複数の鞘管と鞘管支持体との間に隙間が形成されることがなく、複数の鞘管と鞘管支持体との間の防水性能が確保され、鞘管の密集する狭い箇所で充填材を充填する作業がなくなるうえ、充填材が設置孔と鞘管支持体との間の隙間に適切に充填されるので、鞘管を設置する周囲の熱貫流率を下げることなく、止水性能も確保することの工事が容易であるという利点がある。鞘管支持体が設置孔に配置された場合に、鞘管支持体の住戸側面が設置箇所の住戸側面よりも設置孔の内部に配置され、当該設置箇所の住戸側から設置孔の内部に断熱材が設けられれば、設置箇所と鞘管支持体との熱貫流率が断熱材で調整できるという利点がある。充填材の屋外側面には目地が設置孔の内部に窪むように設けられ、目地には防水処理材が施されれば、設置箇所の屋外側の止水性能も上がるという利点がある。
【発明を実施するための最良の形態】
【０００６】
図１および図２は、発明を実施するための最良の形態である。図１のａ図は、構造物の配管装置１における鞘管構造体２と設置箇所５とを分解して示す。図１のｂ図は、配管装置１を縦方向に切断した断面を示す。図２は、鞘管構造体２が作られる工程を示す。
【０００７】
図１を参照し、構造物の配管装置１について説明する。図１のａ図に示すように、配管装置１の鞘管構造体２は、複数の鞘管３をコンクリートなどの鞘管支持体４で支持した単一体として構成された構造である。鞘管構造体２が複数の鞘管３を鞘管支持体４で支持した構造であるので、鞘管３がその延長方向に波状になった蛇腹構造であっても、鞘管支持体４を構成するコンクリートなどの材料が、型枠１２（図２のｃ図参照）に流し込まれることによって複数の鞘管３における型枠１２の内部に配置された部分の外周面を全体的に接触しかつ被覆した態様で固化するので、複数の鞘管３と鞘管支持体４との間に隙間が形成されることがなく、複数の鞘管３と鞘管支持体４との間の防水性能が確保されるという利点がある。
【０００８】
配管装置１の設置箇所５は、例えば、住宅などの構造物における屋外側と住戸側とを仕切る壁であって、軽量発泡コンクリートまたは鉄筋コンクリートなどのコンクリートからなる。設置箇所５には、設置孔６が、鞘管支持体４を挿入し得る大きさで、かつ、設置箇所５の屋外側および住戸側への貫通孔として形成される。設置箇所５および鞘管支持体４を屋外側または住戸側から見た場合、設置孔６と鞘管支持体４とは互いに相似形である。
【０００９】
図１のｂ図に示すように、充填材７が設置孔６の鞘管支持体４を受ける側を構成する下辺部に敷設される。充填材７は、モルタル、合成樹脂からなる目地材、接着剤などの材料からなる。次に、複数の鞘管３の鞘管支持体４よりも外側に出た一端部が設置箇所５の屋外側または住戸側などの一方から設置孔６に挿入され、鞘管支持体４が設置孔６に配置され、鞘管支持体４の下辺部が設置孔６の下辺部における充填材７の上に置かれる。その後、充填材８が設置孔６と鞘管支持体４との間の隙間に充填される。充填材８は、充填材６と同じ、モルタル、合成樹脂からなる目地材、接着剤などの材料からなる。そして、充填材７；８が固化することによって、鞘管支持体４が設置箇所５に固定され、複数の鞘管３の両端部が設置箇所５の屋外側と住戸側とに突出し、鞘管構造体２が設置箇所５に設置される。
【００１０】
鞘管３の密集していない、鞘管支持体４の周囲において、充填材７；８が、屋外側あるいは住戸側の一方から、または、屋外側と住戸側との両方から、鞘管支持体４と設置孔６との間の隙間に適切に充填される。よって、複数の鞘管３と鞘管支持体１４との間の防水性能が確保され、鞘管３の密集する狭い箇所で充填材７；８を充填する作業がなくなるうえ、充填材７；８が鞘管支持体４と設置孔６との間の隙間に適切に充填されるので、鞘管３を設置する周囲の熱貫流率を下げることなく、止水性能も確保することの工事が容易であるという利点がある。また、設置箇所５が軽量気泡コンクリートから構成された場合でも、コンクリートなどからなる鞘管支持体４と軽量気泡コンクリートとに対する止水処理であるので、軽量気泡コンクリートの下地補強が不要であるという利点がある。
【００１１】
最良の形態において、図１のｂ図に示すように、設置箇所５の屋外側面と鞘管支持体４の屋外側面とが同一面になるように、鞘管支持体４が設置孔６に配置され、鞘管支持体４の住戸側面が設置箇所５の住戸側面よりも設置孔６の内部に配置され、スタイロなどの断熱材９が設置箇所５の住戸側から設置孔６の内部に設けられれば、設置箇所５と鞘管支持体４との熱貫流率が断熱材９で調整できるという利点がある。また、図１のｂ図に示すように、モルタルや接着剤などの充填材７；８が設置孔６と断熱材９との間の隙間に充填されて固化されれば、住戸側の止水性能も上がるという利点がある。また、充填材７；８の屋外側面には目地１０が設置孔６の内部に窪むように設けられ、目地１０には防水シール材などの防水処理材１１が充填されたことによって、設置箇所５の屋外側の止水性能も上がるという利点がある。
【００１２】
図２を参照し、鞘管構造体２が作られる工程について説明する。図２のａ図に示すように型枠１２の相対峙する一対の側壁には、複数の鞘管孔１３が、一対の側壁の相対峙する方向への貫通孔として設けられる。鞘管孔１３に挿入される鞘管３が図２のｂ図に示すように蛇腹構造である場合、鞘管３の細い部分が鞘管孔１３に嵌るものの、鞘管３の太い部分が鞘管孔１３に嵌らないように、鞘管孔１３の口径が鞘管３の細い部分の外形を基準に形成される。
【００１３】
次に、図２のｂ図において、複数の鞘管３が複数の鞘管孔１３に個別に１本ずつ装着される。この場合、各鞘管３の一端部が型枠１２の一方から各鞘管孔１３に挿入され、各鞘管３の中間部が相対峙する一対の鞘管孔１３に配置され、各鞘管３の両端部が型枠１２から両側に突出する。鞘管３が蛇腹構造である場合、鞘管３の細い部分が一対の鞘管孔１３のそれぞれに嵌められて接触している。
【００１４】
その後、図２のｃ図に示すように、鞘管支持体４を構成するコンクリートなどの流動材料が型枠１２に上から流し込まれる。この場合、鞘管３の細い部分が鞘管孔１３に嵌められて接触しているので、上記型枠１２に流し込まれた流動材料が鞘管３と鞘管孔１３との間から外側に溢流することがなく、型枠１２に対する鞘管３の位置も鞘管３の延びる方向に移動することがないという利点がある。
【００１５】
そして、型枠１２に流し込まれた流動材料が固化して鞘管支持体４を構成した後、型枠１２が取り外されることによって、鞘管構造体２が図２のｄ図に示すように得られる。図２のｄ図に示す鞘管構造体２は、図１に示す鞘管構造体２に相当するものである。
【産業上の利用可能性】
【００１６】
図１において、鞘管構造体２が設置箇所５に設置された後、複数の鞘管３における屋外側および住戸側には、別の複数の図外の鞘管が複数のカップリングで個別に接続されて延長される。この延長された複数の鞘管と鞘管構造体２における複数の鞘管３とには、屋外機器と住戸機器とを接続する各種配管が個別に通される。鞘管３は、蛇腹構造でない、筒状であってもよい。
【図面の簡単な説明】
【００１７】
【図１】構造物の配管装置の縦断面図（最良の形態）。
【図２】鞘管構造体が作られる工程図（最良の形態）。
【図３】構造物の配管装置の縦断面図（従来）。
【図４】図３と異なる構造物の配管装置の縦断面図（従来）。
【符号の説明】
【００１８】
１は配管装置、２は鞘管構造体、３は鞘管、４は鞘管支持体、５は設置箇所、６は設置孔、７；８は充填材、９は断熱材、１０は目地、１１は防水処理材、１２は型枠、１３は鞘管孔１３は鞘管孔、１５は充填材、１６はカバー、１７は貫通孔。
【図１】
2008274630.tif 000003
【図２】
2008274630.tif 000004
【図３】
2008274630.tif 000005
【図４】
2008274630.tif 000006